(57)【特許請求の範囲】
【請求項１】
プラスチック又は金属からなるヘルメット本体の外面に、外形が角錐台形状である中空成形物を装着又は固定し、その角錐台表面にセラミックを固定してなる耐衝撃性ヘルメットにおいて、前記セラミック固着中空成形物又はセラミック固着中空成形物とヘルメットの一部乃至全体にシート状物を被覆し固定することを特徴とする耐衝撃性ヘルメット。
【請求項２】
シート状物が有機又は無機繊維の織布又は不職布である請求項１記載の耐衝撃性ヘルメット。
【請求項３】
シート状物が、マジックテープ（登録商標）、接着剤、樹脂又は機械的方法を用いてセラミック固着中空成形物又はセラミック固着中空成形物とヘルメットの一部乃至全部に固定されている請求項１又は２記載の耐衝撃性ヘルメット。
【請求項４】
外形が角錐台形状である中空成形物が、ヘルメットの外表面に近似するように、２種類以上の中空の角錐台を接合した角錐台形状の中空成形物である請求項１、２又は３記載の耐衝撃性ヘルメット。
【請求項５】
外形が角錐台形状である中空成形物が、ヘルメットの外表面に近似するように、中空の角錐台の中心線を挟んで底面に垂直に一定の幅で切り取り、残った２つの角錐台部分を接合一体化した左右対称の角錐台形状の中空成形物である請求項１、２、３又は４記載の耐衝撃性ヘルメット。
【請求項６】
中空成形物の内面がヘルメットの外表面と同形状である請求項１、２、３、４又は５記載の耐衝撃性ヘルメット。
【請求項７】
繊維織布又は不職布が固定されたセラミック固着中空成形物がヘルメットに着脱自在である請求項１、２、３、４、５、又は６記載の耐衝撃性ヘルメット。
【請求項８】
中空成形物の下部周縁にリブが設けられている請求項１、２、３、４、５、６又は７記載の耐衝撃性ヘルメット。
【請求項９】
ヘルメット本体が、比引張強度が１０×１０6ｃｍ以上であり、比弾性率が２．５×１０8ｃｍ以上である高強度繊維を基材とし、熱硬化性樹脂又は熱可塑性樹脂を結合剤とした繊維強化プラスチックからなる１、２、３、４、５、６、７又は８記載の耐衝撃性ヘルメット。
【請求項１０】
繊維強化プラスチックの樹脂含有率が５〜３０％である請求項９記載の耐衝撃性ヘルメット。
【発明の詳細な説明】
【０００１】
【発明の属する技術分野】
本発明は、プラスチック又は金属からなるヘルメット本体の外面に、角錐台形状である中空成形物を装着又は固定し、その中空成形物にセラミックを固定し、更にそのセラミック固着中空成形物又はセラミック固着中空成形物とヘルメットの一部乃至全体に繊維織布又は不織布等のシート状物を被覆し固定することにより、外側から高速の飛来物を受けた場合、破壊されたセラミック破片が出来るだけ外部に飛散しないようにすると共に、セラミックの部分的破壊により飛来物のエネルギーをほとんど吸収し、ヘルメット本体の損傷並びに内面への膨らみを非常に小さくすることを特徴とする、高速な飛来物に対して優れた耐衝撃性を有するヘルメットに関するものである。
【０００２】
【従来の技術】
ヘルメットが高所から落下する物体又は飛来する物体に対する耐衝撃体になり得ることは、周知の事実である。しかし、衝撃力が大きい場合はヘルメット単体ではその衝撃力を緩和することは不可能な場合が多い。
一般的に、セラミックを高強度繊維強化プラスチック（以下、ＡＣＭという）の板に接着させることにより、高所から落下する物体又は高速に飛来する物体に対する耐衝撃体になりうることは、今日では公知の事実となっている。また、セラミック曲面板とＡＣＭ曲面板とを接着する技術は、防弾チョッキ用耐衝撃板等において我が国内外で使用されている。本出願人もこの技術に関して特許出願している（特開平８−１９２４９７号公報）。
【０００３】
しかしながら、ヘルメットにおいては外表面が連続的に変化する３次元曲面からなっており、その表面に直接セラミックを固定する場合セラミックの裏面形状もヘルメット外表面形状と同一にすることが望ましいが、このような形状のセラミック成形体を作製することは経済面、技術面で事実上不可能である。一方ヘルメットの外表面に合わせて数種類のセラミックチップを作製してヘルメットに固定しようとしても、ヘルメットの外表面にフィットしない部分が生じ、セラミックチップ間やセラミックチップとヘルメット間に隙間が生じ、耐弾性を低下させる結果となる。この点を改善する必要性があるとともに、更には高速な飛来物が衝突した場合破壊されたセラミック破片が飛散し第３者へ被害を及ぼす危険がある。
【０００４】
【発明が解決しようとする課題】
本発明者は、プラスチック又は金属からなるヘルメット本体の外面に、外形が角錐台形状である中空成形物を装着又は固定し、その中空成形物表面にセラミックを接着剤又は機械的方法等で固定し、更にそのセラミック固着中空成形物又はセラミック固着中空成形物とヘルメットの一部乃至全体に繊維織布又は不織布等のシート状物を被覆し固定することにより、外側から高速の飛来物を受けた場合、破壊されたセラミック破片が出来るだけ外部に飛散しないようにすると共に、その破壊エネルギーがセラミック固定中空成形物を介してヘルメットに伝わるため、ヘルメット本体への衝撃力を緩和させると共にヘルメット内面への膨らみを効果的に防止しうる耐衝撃性ヘルメットを完成するに至ったものである。
【０００５】
【課題を解決するための手段】
本発明は、プラスチック又は金属からなるヘルメット本体の外面に、外形が角錐台形状である中空成形物を装着又は固定し、その角錐台表面にセラミックを固定してなる耐衝撃性ヘルメットにおいて、前記セラミック固着中空成形物又はセラミック固着中空成形物とヘルメットの一部乃至全体にシート状物を被覆し固定することを特徴とする耐衝撃性ヘルメットに関するものであり、好ましくは前記シート状物がマジックテープ（登録商標）、接着剤、樹脂又は機械的方法を用いてセラミック固着中空成形物又はセラミック固着中空成形物とヘルメットの一部乃至全部に固定されている耐衝撃性ヘルメットである。又、好ましくはこの中空成形物の内面がヘルメットの外表面と同一形状であることを特徴とする耐衝撃性ヘルメットである。更に好ましくは、この中空成形物の下部周縁にリブが設けられていることを特徴とする耐衝撃性ヘルメットに関するものである。
【０００６】
そして、好ましくは、ヘルメット本体が、比引張強度が１０×１０6 ｃｍ以上であり、比弾性率が２．５×１０8 ｃｍ以上である高強度繊維を基材とし、熱硬化性樹脂又は熱可塑性樹脂を結合剤とする繊維強化プラスチックからなることを特徴とする耐衝撃性ヘルメットに関するものであり、更に好ましくは、繊維強化プラスチックの樹脂含有率が５〜３０％である耐衝撃性ヘルメットに関するものである。
【０００７】
また、好ましくは、中空成形物が、ヘルメット本体の外形に近似するように、２種類以上の中空の角錐台を接合した角錐台形状の中空成形物、より好ましくは、かかる中空の角錐台の接合面が一致するよう接合した角錐台形状の中空成形物であることを特徴とする耐衝撃性ヘルメットである。他の好ましい形状として、中空成形物が、ヘルメット本体の外形にさらに近似するように、中空の角錐台の中心線を挟んで底面に垂直に一定の幅で切り取り、残った２つの角錐台部分を接合一体化した左右対称の角錐台形状であることを特徴とする耐衝撃性ヘルメットである。更には、中空成形物が前記２種の形状を組み合わせた角錐台形状の中空成形物であることが好ましい。
【０００８】
本発明において、上記中空成形物は、上下に貫通する中空部を有する外形が角錐台形状の中空成形物であるが、この中空成形物の内面はヘルメット本体の外面と同一形状であることが好ましい。この中空成形物は同種材質又は異種材質からなる２層以上の多層構造であってもよく、更には、中空成形物は、長手方向がヘルメット本体の前後方向で、短手方向がヘルメット本体の左右方向であることが好ましく、この中空成形物が左右対称形状であることが好ましい。また、この中空成形物を２個以上の分割体として形成し、これらを組み合わせて中空成形物とすることも好ましい態様である。そして、この中空成形物をヘルメットに着脱自在とすることも好ましい態様の一つである。
【０００９】
本発明において用いられるヘルメット本体は、一般的にヘルメットといわれるものであればどのようなヘルメットでもよいが、好ましくは工事用の安全帽、乗車用安全帽、学童用安全帽及び耐衝撃用の防刃帽や防弾帽等である。ヘルメット本体はプラスチック又は金属からなっている。プラスチックの材質としてはヘルメットを製造するのに使用される全ての材質が該当するが、好ましくはＡＢＳ、ポリカーボネート及びポリエチレン等の樹脂単体、その混合物及び２種類以上の複合層からなっているもの、あるいは樹脂と補強材から構成されているもの、例えばＦＲＰ（一般のガラス繊維、ナイロン繊維及びポリエステル繊維強化プラスチック）及びＡＣＭなどがあり、１種又は２種以上の複合体として用いることができる。一方、金属としては、材質は特に限定しないが、好ましくはチタン、チタン合金、軟鉄、高張力鋼板、ステンレス、アルミニウム又はジュラルミンなどであり、単体又は合金あるいは複合体として用いることができる。
【００１０】
上記ＡＣＭにおいて、用いられる高強度繊維としては、引張強度を密度で割った比引張強度が１０×１０6 ｃｍ以上であり、弾性率を密度で割った比弾性率が２．５×１０8 ｃｍ以上のものである。具体的には、高強度ガラス繊維、アラミド繊維、芳香族ポリエステル繊維、高強度ポリエチレン繊維、高強度ナイロン繊維、及びポリパラフェニレンベンゾビスオキサゾール（通称ＰＢＯ）繊維等である。一般のガラス繊維、ナイロン繊維及びポリエステル繊維などは高強度繊維に該当しない。比引張強度あるいは比弾性率が前記値以上の繊維を用いることにより、ヘルメット本体の耐衝撃性もかなり良好なものとなる。一方、比引張強度あるいは比弾性率が前記値未満の繊維を用いるとヘルメット本体の耐衝撃性は必ずしも十分ではないので、中空成形物、あるいはセラミック固定中空成形物として耐衝撃性の優れたものを使用する必要がある。
【００１１】
ＡＣＭを得るために、高強度繊維に含浸又はコーティングする樹脂としては、通常、フェノール樹脂、エポキシ樹脂、ポリウレタン樹脂、不飽和ポリエステル樹脂、ビニルエステル樹脂及びポリイミド樹脂等の熱硬化性樹脂；あるいはポリエチレン、ポリプロピレンなどのポリオレフィン、ポリアミド、ポリエステル、ポリビニルアセテート、ポリエーテルエーテルケトン、熱可塑性ポリウレタン、熱可塑性エラストマー等の熱可塑性樹脂及び合成ゴムなどが使用される。
【００１２】
ＡＣＭを得るには、熱硬化性樹脂の場合、高強度繊維に熱硬化性樹脂を含浸又はコーティングしてプリプレグを作製し、このプリプレグを複数枚重ね、加熱加圧する圧縮成形法、あるいはプリプレグを作らないハンドレイアップ法などがある。樹脂含有率は５〜８０％（重量％、以下同じ）の範囲が使用可能であるが、通常５〜５０％、優れた耐衝撃性のために好ましくは５〜３０％である。熱可塑性樹脂の場合は、通常高強度繊維に熱可塑性樹脂の溶液、粉末又はその分散液を含浸又はコーティングしてプリプレグを作製し、このプリプレグを複数枚重ね熱板又は加熱ロールにて加熱加圧する圧縮成形法等がある。この際、樹脂の含有率は、熱硬化性樹脂の場合と同様に、５〜８０％（重量％、以下同じ）の範囲であるが、通常５〜５０％、優れた耐衝撃性のために好ましくは５〜３０％である。５％未満ではプリプレグを作ることが困難であり、８０％を越えてもプリプレグを作ることが困難で、かつ耐衝撃性が低下する。
【００１３】
一方、中空成形物としては、熱硬化性樹脂又は熱可塑性樹脂からなるＦＲＰ、ＡＣＭ又は樹脂単体からなる成形物あるいは金属であり、表面硬度が高く、衝撃強度をはじめ機械的強度が大きく、耐候性があり、且つ軽量であることが望ましい。プラスチックの代表的なものとしては、熱硬化性樹脂としてフェノール樹脂、エポキシ樹脂、不飽和ポリエステル樹脂、ビニルエステル樹脂、ウレタン樹脂等；熱可塑性樹脂としてはポリカーボネート樹脂、アクリル樹脂、ＡＢＳ樹脂、ポリエチレン樹脂、ポリプロピレン樹脂等があり、その単体又は複合体として使用される。ＦＲＰやＡＣＭに用いられる繊維及び樹脂としては上記ヘルメット本体に使用されるものが一般的に使用される。また、金属としては同様に上記ヘルメット本体に使用される材質が一般的に使用される。
【００１４】
本発明の耐衝撃性ヘルメットにおいて、ヘルメット本体の外面に装着又は固定される中空成形物は、ヘルメット本体の外形に近似するように外形の異なる２種類以上の中空の角錐台の接合面が一致するように上下に積み重ねて接合一体化した形状であることが好ましい。
また、中空成形物は、外形がヘルメットの外形により近似するように、角錐台の中心線を挟んで底面に垂直に一定の幅で切り取り、接合一体化した左右対称の角錐台形状であることが好ましい。
中空成形物を上記のような形状又はこれらを組み合わせることにより、成形物の外観がヘルメット本体形状に極めて近似しており、成形物の厚みが比較的均一になり、不必要な肉厚部が少なくなるので、必要な耐衝撃性を確保し、かつ軽量化が達成される。
【００１５】
また、中空成形物は、２個以上に分割して形成しておき、これらを角錐台形状に組み合わせてヘルメット本体に装着することも好ましい例の１つである。この場合、装着しない時には、その分割体の体積がコンパクトになり、持ち運びに便利である。分割体は、通常ヘルメット本体に着脱自在に装着するが、隣接する分割体の接触部は、適宜の重ね合わせ構造とするのが好ましい。
更には、必要により、中空成形物を同種材質又は異種材質からなる２種類以上の多層構造とすることができる。例えば、表面に衝撃強度や耐候性の優れたものを使用し、内面に衝撃時の変形が少なく、且、軽量のものを使用することにより、全体として耐衝撃性や耐候性が良好で、軽量のヘルメットを得ることが出来る。
【００１６】
中空成形物の形状は、その内面をヘルメット本体の外面と同形状とすることが好ましい。この場合、中空成形物をヘルメット本体に隙間無く装着することができ、従って、ヘルメットの耐衝撃性がより向上し、中空成形物装着時の安定性も良く、操用性が優れたものとなる。
【００１７】
本発明において、中空成形物表面に固定されるために用いられるセラミックは、好ましくはファインセラミックスと呼ばれているもので、アルミナ（純度９０〜９９．９）系、窒化ケイ素系、炭化ケイ素系、ジルコニア系等があり、特に限定されない。また、かかるセラミックスの１種又は２種以上を組合わせても良い。セラミックスの物性としては、ビツカース硬度１０００ｋｇ／ｍｍ2 以上、曲げ強度３０ｋｇｆ／ｍｍ2 以上、弾性率２．８×１０4 ｋｇ／ｍｍ2 以上が好ましい。
【００１８】
セラミックの形状としては中空成形物の外側にぴったりと被さる一体型角錐台形状のもの、これを２ケ以上の分割した略台形形状のもの、あるいは、分割形状としては個片が３角形、４角形（正方形，長方形，台形）、６角形等であり、またこれらを組み合わせた一体化した多面形状からなるセラミックであってもよい。即ち、セラミック形状は、中空成形物とセラミックあるいはセラミック同士で隙間なく固定可能な形状なら各種形状のものが使用可能であり、制限はない。ただし、中空成形物の外形が角錐台形状であるので、セラミックの形状を角錐台の各面と同じ形状又はその分割形状とすることにより、各セラミックは、湾曲のない平板となるので、作製が容易であり、量産性が優れている。
【００１９】
上記の方法で得られた中空成形物をヘルメット本体に固定する方法としては、中空成形物の内面とヘルメット本体の外面とを、中空成形物に用いられた樹脂そのもの、あるいは合成ゴム系やエポキシ樹脂、ウレタン樹脂等の接着剤又は両面テープ等の粘着剤で接着する方法、あるいはマジックテープ（登録商標）を中空成形物の内面とヘルメット本体の外面とに貼りつけておき、両者を固定する方法が望ましいが、場合によってはボルトやリベット等による機械的な接合も可能であり、着脱を最も簡単に行うには単に嵌合させるか、あるいは中空成形物とヘルメット本体にマグネットを固定し接合する等の方法もある。
【００２０】
セラミックを中空成形物に固定する方法としては、前記と同様に、セラミックの内面と中空成形物の外面とを、中空成形物に用いられた樹脂そのもの、あるいは合成ゴム系やエポキシ樹脂、ウレタン樹脂等の接着剤又は両面テープ等の粘着剤で接着する方法が望ましいが、場合によってはボルトやリベット等による機械的な接合も可能であり、セラミックと中空成形物にマグネットやマジックテープ（登録商標）を固定し接合する等の方法もある。また、中空成形物の下辺がリブ付き構造になっていると、中空成形物の下部よりセラミックを固定して行けば作業性並びにセラミックの配列が極めて容易であるので、好ましい。
接着等にて複数のセラミックを並べる場合には、セラミック間の隙間は全くないか出来るだけ小さい方がよい。中空成形物の表面に固定されるセラミックは、横方向に一列に並べられる場合、裏面は全て平面のためセラミック間の間隙を極微小（通常０．３ｍｍ以下）に保つことが可能であり、セラミック同士の接触面には接着剤を塗布することにより、耐衝撃性をより確実にすることができる。そして、セラミックとして小種類の平面板を作成するだけで使用可能である為、セラミックをヘルメット本体に直接固定する場合と比較して非常に安価である。
【００２１】
破壊されたセラミック破片がヘルメットから飛散するのを防止するために、セラミック固着中空成形物又はセラミック固着中空成形物とヘルメットの一部乃至全体に被覆固定されるシート状物（以下、飛散防止カバーという）は、耐久性のあるものであればいかなるものでも良いが、具体的にはガラス繊維、カーボン繊維等の無機繊維；アラミド繊維、ポリエステル繊維、ポリエチレン繊維、ナイロン繊維、ビニロン繊維及びポリパラフェニレンベンゾビスオキサゾール繊維等の合成繊維、又は木綿、麻、絹の天然繊維などの有機繊維からなる繊維織布又は不織布であり、必ずしも高強度繊維でなくても良い。なお、繊維織布及び不織布のほか、合成樹脂製シート又は天然のシート状物あるいは皮革なども使用することができる。
【００２２】
上記飛散防止カバーをセラミック固着中空成形物又はセラミック固着中空成形物とヘルメットの一部乃至全体に被覆し固定する方法としては、フェノール樹脂、エポキシ樹脂、不飽和ポリエステル樹脂、ビニルエステル樹脂等の樹脂そのもの；合成ゴム系やエポキシ樹脂、ウレタン樹脂、塩化ビニール系等の接着剤；あるいは両面テープ等の粘着剤で接着する方法、或いはマジックテープ（登録商標）を飛散防止カバーの内面と、セラミック及びヘルメット本体の外面とに貼りつけておき、両者を固定する方法が望ましいが、場合によってはボルトやリベット、又はホッチキス等による機械的な接合も可能である。
【００２３】
この様にして得られた耐衝撃性ヘルメットは、大きな衝撃力の物体や非常に高速な飛来物が衝突した際、破壊されたセラミック破片が出来るだけ外部に飛散しないようにすると共に、セラミックの部分的破壊により飛来物のエネルギーをほとんど吸収し、急速にエネルギーを失った衝突物体とセラミック、又はセラミックと中空成形物の破片とがヘルメット本体に到達するため、ヘルメット本体への直接の衝撃は小さく、衝撃によるヘルメット内面への膨らみも少なく、頭部の損傷をほとんどなくすることが可能である。
更には、中空成形物をヘルメット本体に着脱自在に装着する事が可能なため、必要時には装着し、不必要時には取り外すことにより頭部へかかる荷重の負担を軽減し、使用時の操用性を大きく改良することができる。
更に、中空成形物を左右対称にすることは、ヘルメットに装着した場合のバランスがよく、機能上、操用性上重要なことである。
【００２４】
以下、図面により本発明の耐衝撃性ヘルメットの構造を具体的に説明する。
図１は、ヘルメット本体にリブ付き角錐台形状中空成形物を着脱自在に装着したものであり、（１）はヘルメット本体、（２）は中空成形物、（３）は中空成形物のリブ部である。
図２は、図１において、角錐台形状中空成形物に、８分割したセラミックのチップを組み合わせて固定したものであり、（１）はヘルメット本体、（２）は中空成形物、(３)は中空成形物のリブ部、(４)はセラミックチップである。
【００２５】
図３は、図２におけるセラミック固着中空成形物を飛散防止カバーとしてガラス織布とフェノール系樹脂からなるＦＲＰシートで被覆した耐衝撃性ヘルメットである。（１）はヘルメット本体、（２）は中空成形物、(３)は中空成形物のリブ部、(４)はセラミックチップ、（５）は飛散防止カバーである。
図４は、図２におけるセラミック固着中空成形物とヘルメットの下部を飛散防止カバーとしてガラス織布とフェノール系樹脂からなるＦＲＰシートで被覆した耐衝撃性ヘルメットである。（１）はヘルメット本体、（２）は中空成形物、(３)は中空成形物のリブ部、(４)はセラミックチップ、（６）は飛散防止カバーである。
【００２６】
図５はヘルメット本体に、２種類の中空角錐台形状と１つの部分中空角錐台形状とを一体化した中空成形物を装着した場合を示し、（１）はヘルメット本体、（７）は中空成形物、（８）は中空成形物のリブ部である。
図６は、図５におけるセラミック固着中空成形物とヘルメットの全体を飛散防止カバーとしてガラス織布とフェノール系樹脂からなるＦＲＰシートで被覆した耐衝撃性ヘルメットである。（１）はヘルメット本体、（７）は中空成形物、(８)は中空成形物のリブ部、(９)はセラミックチップ、（１０）は飛散防止カバーである。
【００２７】
図７は、ヘルメット本体に、角錐台の中心線を挟んで底面に垂直に一定の幅で切り取り、残った２つの角錐台部分を接合一体化した左右対称の角錐台形状中空成形物を装着した場合を示す。（１）はヘルメット本体、（１１）は中空成形物、（１２）は中空成形物のリブ部である。(ａ)は側面図、(ｂ)は平面図、(ｃ)は中空の角錐台の中央部分を一定の幅(Ｔ)で垂直面状に切り取る際の平面図、(ｄ)は切り取った後の残った２つの角錐台部分(Ｗ)を結合させた左右対称の中空角錐台の平面図である。
図８は、図７における角錐台形状の中空成形物に８分割したセラミックチップを固着し、このセラミック固着中空成形物を飛散防止カバーとしてガラス不織布とフェノール系樹脂からなるＦＲＰシートで被覆した耐衝撃性ヘルメットである。（１）はヘルメット本体、（１１）は中空成形物、（１２）は中空成形物のリブ部、（１３）はセラミックチップ、（１４）は飛散防止カバーである。
【００２７】
図９は、ヘルメット本体に、図７の場合と同様の左右対称の中空の角錐台形状の２種類を接合し連続させた中空成形物を装着したものであり、（１）はヘルメット本体、（１５）は中空成形物、（１６）は中空成形物のリブ部である。
図１０は、図９における中空成形物の各表面の形状に相当するセラミックチップをそれぞれ中空成形物に固定し、さらにその表面を熱可塑性シートからなる飛散防止カバーで被覆した耐衝撃性ヘルメットである。（１）はヘルメット本体、（１５）は中空成形物、（１６）は中空成形物のリブ部、（１７）はセラミックチップ、（１８）は飛散防止カバーである。
【００２８】
【発明の効果】
以上の説明からも明らかなように、本発明の耐衝撃性ヘルメットは、ヘルメット本体に装着又は固定するセラミック固着中空成形物又はセラミック固着中空成形物とヘルメットの一部乃至全体に繊維織布又は不織布等の飛散防止カバーを被覆し固定することにより、高所から落下する物体あるいは高速の飛来物を受けた場合、破壊されたセラミック破片が外部に飛散しないようにして第三者への二次災害を防止することができる。そして角錐台からなる中空成形物を用いているためセラミックを所定位置に隙間なく装着可能であり、高所から落下する物体あるいは高速の飛来物に対して極めて優れた耐衝撃性を有している。更に中空成形物がヘルメット本体から着脱自在とすることにより良好な操用性を持たせることができる。
【図面の簡単な説明】
【図１】  ヘルメット本体に角錐台形状の中空成形物を装着したヘルメットであり、（ａ）は側面図、（ｂ）は平面図である。
【図２】  ８分割したセラミックチップを組み合わせて図１の角錐台形状中空成形物に固着したヘルメットであり、（ａ）は側面図、（ｂ）は（ａ）のＡ−Ａ断面図、（ｃ）は平面図、（ｄ）は（ｂ）の部分拡大図である。
【図３】  図２におけるセラミック固着中空成形物を飛散防止カバーで被覆し、ヘルメット本体に装着した耐衝撃性ヘルメットであり、（ａ）は側面図、（ｂ）は（ａ）のＡ−Ａ断面図、（ｃ）は平面図、（ｄ）は（ｂ）の部分拡大図である。
【図４】  図２におけるセラミック固着中空成形物とヘルメット本体下部とを飛散防止カバーで被覆した耐衝撃性ヘルメットであり、（ａ）は側面図、（ｂ）は（ａ）のＡ−Ａ断面、（ｃ）は平面図、（ｄ）は（ｂ）の詳細図である。
【図５】  ヘルメット本体に、２種類の中空角錐台形状と１つの部分中空角錐台形状からなる角錐台中空成形物を装着した場合であり、(ａ)は側面図、(ｂ)は（ａ）のＡ−Ａ断面図である。
【図６】  図５におけるセラミック固着中空成形物とヘルメット本体全面とを飛散防止カバーで被覆した耐衝撃性ヘルメットであり、（ａ）は側面図、（ｂ）は（ａ）のＡ−Ａ断面である。
【図７】  ヘルメット本体に、左右対称の角錐台中空成形物を装着した場合であり、(ａ)は側面図、(ｂ)は平面図、(ｃ)は中空の角錐台の中央部分を一定の幅(Ｔ)で垂直面状に切り取る際の平面図、(ｄ)は切り取った後の残った２つの角錐台部分(Ｗ)を接合一体化した左右対称の角錐台中空成形物の平面図である。
【図８】  図７における角錐台形状の中空成形物に８分割したセラミックチップを固着し、このセラミック固着中空成形物を飛散防止カバーで被覆した耐衝撃性ヘルメットであり、(ａ)は側面図、(ｂ)は（ａ）のＡ−Ａ断面図である。
【図９】  ヘルメット本体に、２種類の連続した中空の左右対称の角錐台形状からなる角錐台中空成形物を装着した場合であり、(ａ)は側面図、(ｂ)は平面図である。
【図１０】  図９における角錐台中空成形物にセラミックチップを固着し、更にその表面を飛散防止カバーで被覆した耐衝撃性ヘルメットであり、（ａ）は側面図、（ｂ）は（ａ）のＡ−Ａ断面である。
【符号の説明】
１  ヘルメット本体
２，７，１１，１５  角錐台形状中空成形物
３，８，１２，１６  中空成形物のリブ部
４，９，１３，１７  セラミックチップ
５，６，１０，１４，１８  飛散防止カバー
【図１】
0004399909.tif 000002
【図２】
0004399909.tif 000003
【図３】
0004399909.tif 000004
【図４】
0004399909.tif 000005
【図５】
0004399909.tif 000006
【図６】
0004399909.tif 000007
【図７】
0004399909.tif 000008
【図８】
0004399909.tif 000009
【図９】
0004399909.tif 000010
【図１０】
0004399909.tif 000011